(57)【特許請求の範囲】
【請求項１】
被加熱物を収容する鍋を有する本体と、
前記本体内に配設され、前記鍋を加熱する加熱手段と、
前記鍋を閉塞する蓋体と、
該蓋体に設けられ、前記鍋内と外部とを連通する排気通路と、
前記蓋体に設けられ、前記排気通路を閉塞して前記鍋内を加圧可能とするとともに、前記排気通路を開放して前記鍋内の圧力を外圧と平衡させる圧力投入手段と、
予め設定されたプログラムに従って前記加熱手段および圧力投入手段を制御して調理を行う制御手段と、
を備えた圧力調理器において、
前記鍋内の圧力を検出する圧力検出手段を設けるとともに、該圧力検出手段による検出圧力に基づいて前記鍋内の圧力状態を表示する圧力表示部を設け、かつ、
停電時に前記制御手段および前記圧力表示部を動作させるバックアップ電源を設け、
前記制御手段は、入力電圧により商用電源による動作かバックアップ電源による動作かを認識し、停電により前記圧力投入手段による鍋内への圧力投入が解除されると、前記バックアップ電源による電力で、圧力投入解除時の前記圧力検出手段による検出圧力と予め設定した圧力下降勾配またはデータテーブルとに基づいて、前記鍋内が予め設定した基準圧力以下に降下する時間を設定し、その設定時間の経過後に、前記圧力表示部の表示状態を変更するようにしたことを特徴とする圧力調理器。
【請求項２】
被加熱物を収容する鍋を有する本体と、
前記本体内に配設され、前記鍋を加熱する加熱手段と、
前記鍋を閉塞する蓋体と、
該蓋体に設けられ、前記鍋内と外部とを連通する排気通路と、
前記蓋体に設けられ、前記排気通路を閉塞して前記鍋内を加圧可能とするとともに、前記排気通路を開放して前記鍋内の圧力を外圧と平衡させる圧力投入手段と、
予め設定されたプログラムに従って前記加熱手段および圧力投入手段を制御して調理を行う制御手段と、
を備えた圧力調理器において、
前記鍋内または鍋の温度を検出する温度検出手段を設けるとともに、該温度検出手段による検出温度に対応する前記鍋内の推定圧力に基づいて前記鍋内の圧力状態を表示する圧力表示部を設け、かつ、
停電時に前記制御手段および前記圧力表示部を動作させるバックアップ電源を設け、
前記制御手段は、入力電圧により商用電源による動作かバックアップ電源による動作かを認識し、停電により前記圧力投入手段による鍋内への圧力投入が解除されると、前記バックアップ電源による電力で、圧力投入解除時の前記温度検出手段による検出温度と、予め設定した温度下降勾配またはデータテーブルとに基づいて、前記鍋内が予め設定した基準温度以下に降下する時間を設定し、その設定時間の経過後に、前記圧力表示部の表示状態を変更するようにしたことを特徴とする圧力調理器。
【請求項３】
被加熱物を収容する鍋を有する本体と、
前記本体内に配設され、前記鍋を加熱する加熱手段と、
前記鍋を閉塞する蓋体と、
該蓋体に設けられ、前記鍋内と外部とを連通する排気通路と、
前記蓋体に設けられ、前記排気通路を閉塞して前記鍋内を加圧可能とするとともに、前記排気通路を開放して前記鍋内の圧力を外圧と平衡させる圧力投入手段と、
予め設定されたプログラムに従って前記加熱手段および圧力投入手段を制御して調理を行う制御手段と、
を備えた圧力調理器において、
前記鍋内または鍋の温度を検出する温度検出手段を設けるとともに、該温度検出手段による検出温度に対応する前記鍋内の推定圧力に基づいて前記鍋内の圧力状態を表示する圧力表示部を設け、かつ、
停電時に前記制御手段および前記圧力表示部を動作させるバックアップ電源を設け、
前記制御手段は、入力電圧により商用電源による動作かバックアップ電源による動作かを認識し、停電により前記圧力投入手段による鍋内への圧力投入が解除されると、前記バックアップ電源による電力で、圧力投入解除時の前記温度検出手段による検出温度に対応する推定圧力と、予め設定した圧力下降勾配またはデータテーブルとに基づいて、前記鍋内が予め設定した基準圧力以下に降下する時間を設定し、その設定時間の経過後に、前記圧力表示部の表示状態を変更するようにしたことを特徴とする圧力調理器。
【請求項４】
前記制御手段は、前記加熱手段による加熱時に検出した温度上昇勾配に基づいて被加熱物の容量を判定するもので、前記下降勾配またはデータテーブルを、判定した容量によって変更するようにしたことを特徴とする請求項１乃至請求項３のいずれか１項に記載の圧力調理器。
【発明の詳細な説明】
【技術分野】
【０００１】
本発明は、圧力調理器に関するものである。
【背景技術】
【０００２】
調理器の１つである炊飯器は、内鍋を収容する本体と、前記本体に開閉可能に取り付けられた蓋体とを備え、前記本体内部に配設した加熱手段によって前記内鍋を加熱することにより、内鍋内にセットした飯米を炊飯するものである。また、この種の炊飯器としては、前記蓋体に排気通路の通気孔を閉塞する密閉手段を配設し、内鍋内を大気圧より高い圧力に昇圧可能に構成した圧力炊飯方式のものがある。
【０００３】
この圧力炊飯器は、炊飯完了直後、または、ユーザが炊飯を中止した直後、または、停電により炊飯が終了（中断）された直後などに、内鍋の内圧が大気圧より高い状態になっていることがある。そして、この状態でユーザが蓋体を開放すると、蓋体が勢いよく開放したり、蒸気が噴出したりする可能性がある。
【０００４】
そこで、蓋体を開放させるための蓋開ボタンに、ＬＥＤなどの表示手段を設け、蓋体を開けても良い状態であるか、開けては駄目な状態かをユーザに知らせるようにした炊飯器が提供されている。また、この炊飯器では、操作パネルの切手段（スイッチ）を操作しなければ、蓋体を開放することができないようにしている。さらに、圧力解除手段を操作すると、圧力が常圧付近まで戻るまで蓋体を開放できないようにしている（特許文献１参照）。
【０００５】
または、液晶表示板に「圧力」という文字を表示するセグメントを設け、内鍋内が設定圧力（１．０５ａｔｍ）より高い場合には圧力セグメントを点灯させ、設定圧力未満の場合には圧力セグメントを消灯させる。また、炊飯中に停電が発生した場合、その停電直前に内鍋内を加圧していた場合には、確実に内鍋内が設定圧力未満に降下する待機時間が経過するまで圧力セグメントを点滅させ、待機時間が経過すると圧力セグメントを消灯するようにした圧力炊飯器が提供されている（特許文献２参照）。
【０００６】
【特許文献１】特開２００７−２５２６２０号公報
【特許文献２】公開技報２００８−５０１２０３号公報
【０００７】
しかしながら、内鍋内の圧力降下に要する時間は、加圧手段によって加圧可能な最大圧力や、炊飯を停止した際の実際の圧力によって異なるが、これらの特許文献では、予め設定された待機時間（１分）が経過するまで待機する必要がある。そのため、安全性を確保することは略可能であるが、不必要な待機時間も含まれるため、不自由な面も併せ持っている。
【発明の開示】
【発明が解決しようとする課題】
【０００８】
本発明は、従来の問題に鑑みてなされたもので、鍋内が安全な圧力に降下したことを迅速にユーザに知らせることが可能な圧力調理器を提供することを課題とするものである。
【課題を解決するための手段】
【０００９】
前記課題を解決するため、本発明の圧力調理器は、被加熱物を収容する鍋を有する本体と、前記本体内に配設され、前記鍋を加熱する加熱手段と、前記鍋を閉塞する蓋体と、該蓋体に設けられ、前記鍋内と外部とを連通する排気通路と、前記蓋体に設けられ、前記排気通路を閉塞して前記鍋内を加圧可能とするとともに、前記排気通路を開放して前記鍋内の圧力を外圧と平衡させる圧力投入手段と、予め設定されたプログラムに従って前記加熱手段および圧力投入手段を制御して調理を行う制御手段と、を備えた圧力調理器において、以下の構成としている。
第１の圧力調理器では、前記鍋内の圧力を検出する圧力検出手段を設けるとともに、該圧力検出手段による検出圧力に基づいて前記鍋内の圧力状態を表示する圧力表示部を設け、かつ、停電時に前記制御手段および前記圧力表示部を動作させるバックアップ電源を設け、前記制御手段は、入力電圧により商用電源による動作かバックアップ電源による動作かを認識し、停電により前記圧力投入手段による鍋内への圧力投入が解除されると、前記バックアップ電源による電力で、圧力投入解除時の前記圧力検出手段による検出圧力と予め設定した圧力下降勾配またはデータテーブルとに基づいて、前記鍋内が予め設定した基準圧力以下に降下する時間を設定し、その設定時間の経過後に、前記圧力表示部の表示状態を変更する構成としている。
また、第２の圧力調理器では、前記鍋内または鍋の温度を検出する温度検出手段を設けるとともに、該温度検出手段による検出温度に対応する前記鍋内の推定圧力に基づいて前記鍋内の圧力状態を表示する圧力表示部を設け、かつ、停電時に前記制御手段および前記圧力表示部を動作させるバックアップ電源を設け、前記制御手段は、入力電圧により商用電源による動作かバックアップ電源による動作かを認識し、停電により前記圧力投入手段による鍋内への圧力投入が解除されると、前記バックアップ電源による電力で、圧力投入解除時の前記温度検出手段による検出温度と、予め設定した温度下降勾配またはデータテーブルとに基づいて、前記鍋内が予め設定した基準温度以下に降下する時間を設定し、その設定時間の経過後に、前記圧力表示部の表示状態を変更する構成としている。
さらに、第３の圧力調理器では、前記鍋内または鍋の温度を検出する温度検出手段を設けるとともに、該温度検出手段による検出温度に対応する前記鍋内の推定圧力に基づいて前記鍋内の圧力状態を表示する圧力表示部を設け、かつ、停電時に前記制御手段および前記圧力表示部を動作させるバックアップ電源を設け、前記制御手段は、入力電圧により商用電源による動作かバックアップ電源による動作かを認識し、停電により前記圧力投入手段による鍋内への圧力投入が解除されると、前記バックアップ電源による電力で、圧力投入解除時の前記温度検出手段による検出温度に対応する推定圧力と、予め設定した圧力下降勾配またはデータテーブルとに基づいて、前記鍋内が予め設定した基準圧力以下に降下する時間を設定し、その設定時間の経過後に、前記圧力表示部の表示状態を変更する構成としている。
なお、これらの圧力調理器において、「圧力投入解除時」とは、圧力解除の直前および直後（±約１秒）を含む範囲のものである。また、「検出温度に対応する前記鍋内の推定圧力」とは、温度と圧力との相関関係に基づいた換算によるものである。
【００１０】
これらの圧力炊飯器によれば、予め設定した圧力または温度の下降勾配、または、データテーブルに基づいて、安全性を確保できる基準圧力、または、その基準圧力に相当する温度以下に降下する時間を設定し、その設定時間の経過後に圧力表示部の表示状態を変更するため、不必要な待機時間を含むことなく、迅速に安全な圧力に降下したことをユーザに知らせることができる。
【００１１】
これらの圧力炊飯器では、前記制御手段は、前記加熱手段による加熱時に検出した温度上昇勾配に基づいて被加熱物の容量を判定するもので、前記下降勾配またはデータテーブルを、判定した容量によって変更することが好ましい。このようにすれば、更に不必要な待機時間を無くすことができる。
【発明の効果】
【００１３】
本発明の圧力調理器では、圧力投入を解除したときの検出圧力または検出温度と、予め設定した圧力または温度の下降勾配、または、データテーブルに基づいて、圧力表示部の表示状態を変更する設定時間を設定するため、不必要な待機時間を含むことなく、迅速に安全な圧力に降下したことをユーザに知らせることができる。
【発明を実施するための最良の形態】
【００１４】
以下、本発明の実施の形態を図面に従って説明する。
【００１５】
図１は、本発明の実施形態に係る調理器である圧力炊飯器を示す。この圧力炊飯器は、内鍋１０と、該内鍋１０を着脱可能に収容する本体１１と、該本体１１に開閉可能に取り付けられる蓋体１７とを備えている。
【００１６】
前記内鍋１０は、被加熱物である飯米を水と一緒に収容するもので、熱伝導率が高いアルミ等からなる鍋母材の外面に、後述する誘導加熱コイル１４への高周波電流の通電時に生じる渦電流によって電磁誘導加熱される強磁性材料をコーティングや接合等によって施したものである。
【００１７】
前記本体１１は、有底筒形状をなす外装体１２の内部に、前記内鍋１０を収容する非導電性材料からなる保護枠１３を備えている。この保護枠１３には、底に第１加熱手段である誘導加熱コイル１４が巻回して配設され、外周壁に第２加熱手段である胴ヒータ１５が配設されている。また、保護枠１３には、該保護枠１３を貫通して内部の内鍋１０の温度を検出するための温度検出手段である内鍋用温度センサ１６が配設されている。
【００１８】
前記蓋体１７は、本体１１の開口部を覆うとともに内鍋１０の開口部を閉塞（密閉）するもので、内鍋１０の側に放熱板１８、蓋ヒータ１９および内蓋２０が配設されている。また、この蓋体１７には、内鍋１０内と外部とを連通する排気通路２１が設けられ、この排気通路２１に圧力投入手段であるリリーフ弁２２が介設されている。このリリーフ弁２２は、内部の球体２３がソレノイド２４によって転動されるものである。具体的には、ソレノイド２４が通電されることによりロッドが後退し、球体２３で排気通路２１を閉塞して内鍋１０内を大気圧より高い圧力に加圧可能とする。また、ソレノイド２４への通電が遮断されることによりロッドが進出し、球体２３による排気通路２１の閉塞を解除（開放）することにより内鍋１０の内圧を大気圧に戻す（平衡）ものである。さらに、この蓋体１７の内部には、内鍋１０内の温度を検出する温度検出手段である蓋体用温度センサ２５、および、内鍋１０内の圧力を検出する圧力検出手段である圧力センサ２６が配設されている。
【００１９】
そして、本実施形態の圧力炊飯器には、本体１１の正面に図２に示す操作パネル２７が設けられている。この操作パネル２７は、中央に表示手段である液晶表示板２８を備えている。この液晶表示板２８の中段には、予約時刻や炊飯に要する残時間などを示す数値セグメント２９が設けられている。そして、この数値セグメント２９の上部には、無洗米の選択状態であるか否かを文字で示す無洗米セグメント３０が設けられるとともに、その横に数値セグメント２９の表示が炊飯に要する残時間（分）であることを文字で示すあとセグメント３１が設けられている。また、数値セグメント２９の下部には、２種の予約炊飯を「予約」、「１」および「２」という文字および数字で示す予約セグメント３２が設けられている。さらに、この予約セグメント３２の横には、内鍋１０内を加圧しており内圧が予め設定した基準圧力より高いという圧力状態を文字で示す圧力表示部である圧力セグメント３３が設けられている。さらにまた、この圧力セグメント３３の横には、数値セグメント２９の表示が炊飯に要する時間の単位を文字で示す分セグメント３４が設けられている。そして、この液晶表示板２８の周囲には、炊飯メニューの選択状態を示すために三角形状をなす複数の印セグメント３５が設けられている。
【００２０】
また、操作パネル２７には、液晶表示板２８の周囲において、印セグメント３５の横に位置するように、複数の炊飯メニューとして、白米の「ふつう」、「もちもち」および「しゃっきり」、そして、他の「熟成炊き」、「白米急速」、「炊きこみ」、「すしめし」、「おかゆ」、「おこわ」、「玄米」、「玄米活性」という文字表示３６が設けられている。さらに、液晶表示板２８の下側部には、２種の保温温度の選択状態を表示するために、「標準」および「高め」という文字で示す保温表示部３７が設けられるとともに、それぞれに対応するＬＥＤ３８が設けられている。
【００２１】
さらに、操作パネル２７は、入力手段である複数のスイッチ３９ａ〜３９ｈを備えている。液晶表示板の右側には、炊飯処理の実行スイッチである炊飯スイッチ３９ａと、予約炊飯の選択スイッチである予約スイッチ３９ｂと、現在時刻や炊飯時刻などを変更するためのアップスイッチ３９ｃおよびダウンスイッチ３９ｄと、が設けられている。また、液晶表示板２８の左側には、炊飯および保温処理や選択状態を解除（停止）するためのとりけしスイッチ３９ｅと、炊飯メニューを選択するためのメニュースイッチ３９ｆと、無洗米であるか否かを選択するための無洗米スイッチ３９ｇと、保温処理の実行スイッチであるとともに保温処理のモードを選択するための保温選択スイッチ３９ｈと、が設けられている。
【００２２】
このように構成した圧力炊飯器は、外装体１２と保護枠１３との間に制御基板（図示せず）が配設され、この制御基板に実装した制御手段であるマイコン４０により、予め設定したプログラムに従って炊飯および保温処理が実行される。
【００２３】
具体的には、このマイコン４０は、電源供給ポートに電圧判別部４０ａを備えている。この電源供給ポートに接続した電源供給ラインには、図示しない電源コードおよび電源回路を介して商用電源４１が接続されるとともに、バックアップ電源である一次電池４２が接続されている。なお、商用電源４１は、電源回路を介してマイコン４０に対して５Ｖの駆動電力を出力するとともに、誘導加熱コイル１４やヒータ１５，１９、圧力投入手段の駆動手段であるソレノイド２４、および、検出手段であるセンサ１６，２５，２６などに駆動電力を供給する。また、一次電池４２は、商用電源４１からの電力が遮断されると、マイコン４０に対して３Ｖの駆動電力を供給する。そして、マイコン４０は、電圧判別部４０ａにより駆動電力が５Ｖか３Ｖかを判別することにより、商用電源４１からの電力による動作か、一次電池４２からの電力による動作かを認識できる。
【００２４】
また、マイコン４０には、不揮発性の記憶手段であるＲＯＭ４３が接続されている。このＲＯＭ４３は、商用電源４１や一次電池４２等からの電力が遮断されても記憶情報を保持可能（消失しない）なもので、前記炊飯および保温処理を含む複数の実行プログラム、各実行プログラムで使用する設定データ（データテーブル）や演算式、などが記憶されている。なお、実行プログラムは、商用電源４１からの電力供給状態（通常モード）で実行するものと、一次電池４２からの電力供給状態（バックアップモード）で実行するものと、に大別される。通常モードでは、前記炊飯および保温処理など、本来の圧力炊飯器の実行プログラムが実行される。バックアップモードでは、前記電圧判別部４０ａ、時刻（時間）を計時する計時手段であるタイマー４０ｂ、および、前記液晶表示板２８を表示する最低限のバックアッププログラムのみが実行される。
【００２５】
さらに、マイコン４０には、揮発性の記憶手段であるＲＡＭ４４が接続されている。このＲＡＭ４４は、商用電源４１や一次電池４２等からの電力が遮断されると記憶情報を消失するもので、ユーザによる炊飯処理を実行させるための選択状態や、炊飯および保温処理の実行中の情報が一時的に記憶されている。
【００２６】
さらにまた、マイコン４０には、液晶駆動部４５を介して液晶表示板２８が接続されている。この液晶駆動部４５は、液晶表示板２８を構成する所定のセグメントを点灯、点滅および消灯させる周知のものである。
【００２７】
そして、本実施形態のマイコン４０は、通常モードで炊飯スイッチ３９ａの操作を検出すると、液晶表示板２８によって設定された炊飯条件に基づいて、ＲＯＭ４３に記憶された炊飯プログラムに従って、予熱、中ぱっぱ、沸騰維持、および、２度炊きを含むむらしの各工程からなる炊飯処理を実行する。その後、引き続いて、炊き上げたご飯を所定温度に保温する保温処理を実行する。また、炊飯処理では、中ぱっぱ工程で、内鍋用温度センサ１６による検出温度の上昇勾配に基づいて、その時の炊飯容量を判断する。さらに、中ぱっぱ工程を開始すると同時に、または、中ぱっぱ工程で内鍋１０内が所定温度まで昇温すると、ソレノイド２４への通電を開始し、引き続いて実行する沸騰維持工程では、内鍋１０内を大気圧より高い圧力に昇圧した状態とする。そして、むらし工程では、ソレノイド２４への通電を遮断し、内鍋１０内への圧力投入を解除する。
【００２８】
なお、この内鍋１０内への圧力投入状態では、所定時間（１秒）毎に圧力センサ２６によって内鍋１０内の圧力を検出し、ＲＯＭ４３に記憶した基準（安全）圧力以上（５ｋＰａ（１．０５ａｔｍ））に昇圧した状態では、液晶表示板２８の圧力セグメント３３を点灯させる。また、圧力投入を解除すると、引き続いて圧力センサ２６によって内鍋１０内の圧力を検出し、前記基準圧力未満に降下すると、圧力セグメント３３を消灯させる。
【００２９】
一方、バックアップモードでは、タイマー４０ｂによって経過時間を計時し、現在時刻を液晶表示板２８に表示する。また、通常モードでの炊飯処理の実行中に、商用電源４１からの電力が遮断されてバックアップモードに遷移すると、炊飯処理は中断される。そして、この停電時間を計時し、１０分未満で電力が復帰すると、引き続いて炊飯処理を実行する一方、１０分以上経過すると、電力が復帰しても炊飯処理は停止される。また、このバックアップモードでは、前記計時処理と並行して、圧力セグメント３３の表示処理を実行する。
【００３０】
このバックアップモードでの表示処理は、停電前に圧力セグメント３３が表示されている場合、即ち、基準圧力以上に内鍋１０内が昇圧している場合に実行される。そして、この表示処理では、停電直前に圧力センサ２６によって検出した圧力、即ち、停電により圧力投入が解除された直前の検出圧力と、予め設定した圧力下降勾配に基づく演算式とで、内鍋１０内が基準圧力未満に低下する時間を推定および設定する。そして、その設定時間が経過するまで圧力セグメント３３を点滅表示させ、経過後に消灯するものである。なお、本実施形態では、炊飯処理の沸騰維持工程では、圧力センサ２６によって１秒毎に内鍋１０の内圧を検出するため、直前の検出圧力とは、１秒以内のものである。
【００３１】
ここで、内鍋１０内を加圧可能な最大圧力（１．３ａｔｍ）とした状態で、リリーフ弁２２を開放した際の圧力降下勾配を図３に示す。この図３に示すように、内鍋１０内の圧力下降勾配は、炊飯容量によって異なり、炊飯容量が多い場合には降下勾配は緩やかになり、炊飯容量が少なくなるにつれて降下勾配は急になる。
【００３２】
そのため、本実施形態では、判別した炊飯容量によって設定時間を演算するための演算式を変更するように構成している。以下に、１０．０ｃｕｐ、５．５ｃｕｐ、１．０ｃｕｐおよび０．５ｃｕｐの場合の演算式を示す。
【００３３】
[数１]
１０．０ｃｕｐ    ｙ  ＝  ０．００５ｘ  ＋  １
５．５ｃｕｐ    ｙ  ＝  ０．０１０ｘ  ＋  １
１．０ｃｕｐ    ｙ  ＝  ０．０２０ｘ  ＋  １
０．５ｃｕｐ    ｙ  ＝  ０．０４０ｘ  ＋  １
【００３４】
なお、この演算式は、圧力投入を解除したときの圧力（ｙ）が大気圧に平衡（降下）するまでの時間（ｘ）である。そして、例えば安全とされる基準圧力は、この大気圧（１．００ａｔｍ）より高い（１．０５ａｔｍ）ものである。そのため、この大気圧に降下するまでの時間で設定しても十分に安全性を確保できるが、更に若干の誤差分を含めて設定することにより、確実にユーザの安全性を確保できる。なお、上記した演算式は、排気通路２１の構造等の要因で異なることは言うまでもない。
【００３５】
次に、マイコン４０による制御について具体的に説明する。
【００３６】
まず、ユーザが圧力炊飯器を購入した状態では、マイコン４０は、一次電池４２による電力でバックアップモードで動作している。
【００３７】
そして、この状態では、マイコン４０は、図４に示すように、まず、ステップＳ１で、商用電源に接続されているか否かを電圧判別部４０ａによって検出する。そして、商用電源４１への接続を検出しない場合にはステップＳ２に進み、後で詳細に説明する停電処理（バックアップモード）を実行してステップＳ１に戻る。また、商用電源４１への接続を検出した場合には、ステップＳ３に進む。
【００３８】
ステップＳ３では、停電前の状態と停電復帰時の状態とに基づいた停電復帰処理を実行してステップＳ４に進む。具体的には、この停電復帰処理では、停電前の状態が炊飯処理の実行中であった場合で、停電時間が１０分未満である場合には、停電前の状態から炊飯処理を継続して実行する。また、停電前がそれ以外の状態では、予約炊飯を含む炊飯処理および保温処理のいずれも実行していない待機状態（ステップＳ４の状態）とするものである。
【００３９】
ステップＳ４では、いずれかのスイッチ３９ａ〜３９ｈが操作されたか否かを検出する。そして、いずれかのスイッチ３９ａ〜３９ｈの操作を検出すると、ステップＳ５に進み、その検出したスイッチ３９ａ〜３９ｈに対応するスイッチ受付処理を実行してステップＳ１に戻る。また、いずれのスイッチ３９ａ〜３９ｈの操作も検出しない場合には、そのままステップＳ１に戻る。
【００４０】
そして、炊飯スイッチ３９ａの操作を検出した場合には、図５に示す炊飯処理を実行する。なお、予約炊飯は、予約スイッチ３９ｂの操作を検出した後に、炊飯スイッチ３９ａを操作することにより、確定される。そして、以下の炊飯処理との相違点は、炊飯開始時間、または、炊き上げ時刻から炊飯時間を除算した炊飯開始時刻になるまで、待機する点でのみ、相違するものである。また、前記ステップＳ１からステップＳ５の処理は、以下で説明する炊飯処理や保温処理の実行中においても、常に並行処理される。
【００４１】
炊飯処理では、マイコン４０は、図５に示すように、まず、ステップＳ１０で、炊飯処理の実行中であることを意味するフラグｆａに１を入力する。
【００４２】
その後、ステップＳ１１で、誘導加熱コイル１４に通電を開始し、内鍋１０の温度が約５０℃程度となるように温度調節して加熱する予熱工程を実行する。
【００４３】
そして、予め設定した時間が経過することにより予熱工程が終了すると、ステップＳ１２で、ソレノイド２４への通電を開始してリリーフ弁２２をオンすることにより、内鍋１０内の加圧を開始する。その後、ステップＳ１３で、圧力セグメント３３を点灯（図９（Ａ）参照。）させた後、ステップＳ１４で、圧力セグメント３３を点灯させたこと、即ち、圧力投入状態であることを意味するフラグｆｂに１を入力してステップＳ１５，Ｓ１６に進む。
【００４４】
ステップＳ１５，Ｓ１６では、昇温工程と容量判別工程とを並行処理する。ステップＳ１５の昇温工程は、誘導加熱コイルに対して１００％（フルパワー）の電力で通電し、内鍋１０内の飯米を含む水を沸騰させるものである。また、ステップＳ１６の容量判別工程は、加熱中の内鍋１０の温度の上昇勾配により、内鍋１０内に収容された炊飯容量を判別し、その判別した炊飯容量をＲＡＭ４４に記憶するものである。なお、ステップＳ１２の圧力投入開始と、ステップＳ１５の昇温工程とは、実質的には略同時に実行される。
【００４５】
昇温工程が終了すると、ステップＳ１７で、蓋体用温度センサ２５および圧力センサ２６の入力値に基づいて誘導加熱コイル１４を制御して沸騰維持工程を実行する。予め設定した時間が経過することにより沸騰維持工程が終了すると、ステップＳ１８で、誘導加熱コイル１４に対する通電量を上げて炊き上げ工程を実行する。
【００４６】
炊き上げ工程で、検出温度に基づいて内鍋１０内のドライアップを検出すると、ステップＳ１９のむらし工程と、ステップＳ２０の圧力セグメント第１表示変更処理とを並行処理する。むらし工程は、ソレノイド２４への通電を遮断し、内鍋１０内への圧力投入を解除する。そして、胴ヒータ１５および蓋ヒータ１９に通電を開始する一方、誘導加熱コイル１４への通電は遮断する。圧力セグメント第１表示変更処理は、圧力セグメント３３の表示を消灯するためのもので、後で詳細に説明する。
【００４７】
予め設定した時間が経過することにより、むらし工程が終了すると、ステップＳ２１で、炊飯処理が終了したことを意味するようにｆａに０を入力して、炊飯処理を終了し、続いて保温処理に移行する。
【００４８】
次に、ステップＳ２０の圧力セグメント第１表示変更処理について説明する。なお、この第１表示変更処理は、商用電源４１からの電力（通常モード）で動作している場合のものである。
【００４９】
この第１表示変更処理では、マイコン４０は、図６に示すように、まず、ステップＳ２０−１で、圧力センサ２６によって内鍋１０内の圧力を検出する。そして、ステップＳ２０−２で、その検出圧力Ｐが、予めＲＯＭ４３に記憶された基準圧力Ｐ０未満であるか否かを判断する。そして、Ｐ≧Ｐ０の場合にはステップＳ２０−３に進み、検出回数ｎを０としてステップＳ２０−１に戻る。一方、Ｐ＜Ｐ０の場合にはステップＳ２０−４に進み、検出回数ｎに１を加算してステップＳ２０−５に進む。
【００５０】
ステップＳ２０−５では、検出回数ｎが３であるか否かを検出する。そして、ｎ＝３である場合にはステップＳ２０−６に進み、ｎ＝３でない場合にはステップＳ２０−１に戻る。
【００５１】
ステップＳ２０−６では、圧力セグメント３３を消灯させた後、圧力セグメント３３を消灯させ、内鍋１０内の圧力が基準圧力より低い状態であることを意味するようにフラグｆｂに０を入力してリターンする。即ち、本実施形態では、３回連続してＰ＜Ｐ０を検出すると、圧力セグメント３３を消灯させるように構成している。
【００５２】
次に、ステップＳ２の停電処理（バックアップモード）について説明する。なお、この停電処理は、商用電源４１からの電力が遮断された場合で、かつ、一次電池４２の残容量が基準値を満たしている場合に、この一次電池４２の電力で動作する。そして、商用電源４１からの電力の遮断は、天災などによる一般的な停電と、ユーザが電源コードを引き抜くことによる人為的行為によるものとがある。
【００５３】
この停電処理では、マイコン４０は、図７に示すように、まず、ステップＳ３０で、タイマーによって経過時間を計測し、液晶表示板２８の現在時刻を更新する時刻計時工程を実行する。
【００５４】
ついで、ステップＳ３１で、ｆａに１が入力されているか否により、炊飯処理中に停電したのか否かを検出する。そして、ｆａが１である場合、即ち、炊飯処理中に停電した場合には、ステップＳ３２に進み、ｆａが０である場合、即ち、停電前に炊飯処理を実行していない場合にはそのままリターンする。
【００５５】
ステップＳ３２では、タイマーにより停電時間を計測しているか否かを意味するフラグｆｃが０であるか否かを検出する。そして、ｆｃが０（非計測中）である場合にはステップＳ３３に進み、ｆｃが１（計測中）である場合にはステップＳ３６に進む。
【００５６】
ステップＳ３３では、停電時の炊飯工程、即ち、炊飯処理が終了した段階をＲＡＭ４４に記憶する。その後、ステップＳ３４で、停電時間計測タイマーをリセットしてスタートした後、ステップＳ３５で、停電時間を計測中であることを記憶するためにｆｃに１を入力してステップＳ３６に進む。
【００５７】
ステップＳ３６では、停電前の内鍋１０内が基準圧力より高い圧力になっていたか否かをｆｂに１が入力されているか否かにより検出する。そして、ｆｂが１（基準圧力より高圧）である場合にはステップＳ３７に進み、圧力セグメント第２表示変更処理を実行してリターンする。一方、ｆｂが０（基準圧力より低圧）である場合には、そのままリターンする。
【００５８】
次に、ステップＳ３７の圧力セグメント第２表示変更処理について説明する。なお、この第２表示変更処理は、一次電池４２からの電力（バックアップモード）で動作している場合のものである。
【００５９】
この第２表示変更処理では、マイコン４０は、図８に示すように、まず、ステップＳ３７−１で、圧力セグメント３３の表示時間を設定し、その設定時間の計測を行っているか否かを意味するフラグｆｄが０であるか否かを検出する。そして、ｆｄが０（非計測中）である場合にはステップＳ３７−２に進み、ｆｄが１（計測中）である場合にはステップＳ３７−７に進む。
【００６０】
ステップＳ３７−２では、圧力セグメント３３を点滅表示（図９（Ｂ）参照。）させた後、ステップＳ３７−３で、炊飯処理時に判別した炊飯容量と、停電直前に検出した圧力とをＲＡＭ４４から読み込む。その後、ステップＳ３７−４で、検出圧力と停電時の炊飯処理での炊飯容量に対応する圧力下降勾配の演算式とに基づいて、圧力セグメント３３の表示時間、即ち、内鍋１０内が基準圧力未満に降下するまでの時間を演算（推定）して設定する。ついで、ステップＳ３７−５で、設定時間の経過を計測する表示時間計測タイマーをスタートさせた後、ステップＳ３７−６で、ｆｄに１を入力して設定時間の計測を行っている状態を記憶する。
【００６１】
次に、ステップＳ３７−７で、計測中の表示時間計測タイマーがカウントアップ（経過）したか否かを検出する。そして、カウントアップした場合にはステップＳ３７−８に進み、カウントアップしていない場合にはリターンする。
【００６２】
ステップＳ３７−８では、表示時間計測タイマーを停止した後、ステップＳ３７−９で、圧力セグメント３３を消灯させる。その後、ステップＳ３７−１０で、内鍋１０内が基準圧力より低圧になっている状態を記憶するためにｆｂに０を入力するとともに、表示時間計測タイマーが非計測中であることを記憶するためにｆｄに０を入力してリターンする。
【００６３】
このように、本実施形態では、商用電源４１からの電力で動作する通常モードでは、炊飯処理によって内鍋１０内が基準圧力より高圧状態になっている場合に、圧力セグメント３３を表示させ、圧力センサ２６によって所定時間毎に圧力を検出し、基準圧力より低圧になると、圧力セグメント３３を消灯させる。そのため、ユーザが蓋体１７を開放する際の安全性を十分かつ確実に確保することができる。
【００６４】
また、本実施形態では、圧力センサ２６によって内鍋１０の内圧を検出できない停電時には、停電直前に検出した圧力と、予め設定した圧力下降勾配に基づいて、内鍋１０の内圧が基準圧力より低圧になるまでの時間を設定する。しかも、その圧力下降勾配に基づく演算式は、炊飯時に判別した炊飯容量に基づいて変更するように構成している。そのため、不必要な待機時間を含むことなく、略正確に圧力セグメント３３を消灯させ、迅速に安全な圧力に降下した状態をユーザに知らせることができる。
【００６５】
さらに、商用電源４１からの電力が遮断された状態では、バックアップ電源である一次電池４２からの電力で圧力セグメント３３を表示するため、意図しない停電時でも、十分に安全性を確保することができる。
【００６６】
なお、本発明の圧力調理器は、前記実施形態の構成に限定されるものではなく、種々の変更が可能である。
【００６７】
例えば、前記実施形態では、圧力センサ２６による検出圧力と予め設定した圧力下降勾配とに基づいて圧力セグメント３３の表示状態を変更するように構成したが、圧力と温度とは互いに相関関係を有するものであるため、圧力投入を解除したときの蓋体用温度センサ２５による内鍋１０内の検出温度と、図３に示すように、圧力を温度に換算した温度下降勾配とに基づいて、基準圧力に対応する温度に低下する時間を設定し、その設定時間の経過後に圧力セグメント３３の表示を変更するようにしてもよい。
または、蓋体用温度センサ２５による検出温度を、相関関係により対応する推定圧力に換算し、その推定圧力と、前記実施形態に示す圧力下降勾配とに基づいて、基準圧力に低下する時間を設定し、その設定時間の経過後に圧力セグメント３３の表示を変更するようにしてもよい。
これらのようにすれば、圧力センサ２６を搭載しない圧力炊飯器であっても、確実に安全性を確保することができる。
【００６８】
さらに、前記実施形態では、圧力投入を解除したとき（直前）の検出圧力と、予め設定した圧力下降勾配に基づく演算式とで、圧力セグメント３３の表示時間を設定したが、その演算式の代わりに、複数の検出圧力および炊飯容量と、それらに対応する複数の設定時間とを、予めデータテーブルとしてＲＯＭ４３に記憶してもよい。
【００６９】
さらにまた、前記実施形態では、通常モードでは、圧力センサ２６によって所定時間毎に内鍋１０の内圧を検出し、その検出圧力と基準圧力とを比較して圧力セグメント３３の表示を変更（第１表示変更処理）するようにしたが、この状態でも検出圧力または検出温度と、下降勾配またはデータテーブルに基づいて表示を変更（第２表示変更処理）するようにしてもよい。この場合、検出圧力または検出温度は、圧力投入を解除した直後に、圧力センサ２６または温度センサによって検出し、その検出値を使用することが好ましい。
【００７０】
しかも、前記実施形態では、停電時に第２表示変更処理を実行する構成としたが、炊飯処理の実行中に、ユーザがとりけしスイッチ３９ｅを操作することにより、炊飯処理を停止させた際にも、その停止直前に内鍋１０内が加圧された状態である場合には、同様に第２表示変更処理を実行することが好ましい。
【００７１】
勿論、前記実施形態では、むらし工程に移行するとリリーフ弁２２による圧力投入を解除したが、この圧力投入解除時期は、ユーザに趣向に応じて変更されるものである。そのため、表示変更処理は、その圧力投入解除時をトリガーポイントとして実行し、圧力セグメント３３の表示を変更する時間を設定することが好ましい。
【００７２】
また、前記実施形態では、内鍋１０の内圧が基準圧力より高圧であるという状態を、液晶表示板２８に設けた圧力セグメント３３により表示するようにしたが、操作パネル２７に圧力という文字を設け、その対応部分にＬＥＤを配設して点灯、点滅および消灯させることにより、ユーザに知らせるようにしてもよい。
【００７３】
そして、本発明のように圧力表示部を設ける機器は圧力炊飯器に限られず、所定の調理材料を調理する調理器にも同様に適用可能であり、同様の作用および効果を得ることができる。
【図面の簡単な説明】
【００７４】
【図１】本発明の圧力調理器である炊飯器の構成を示す概略図である。
【図２】炊飯器の操作パネルを示す正面図である。
【図３】時間と減圧力と温度との関係を示すグラフである。
【図４】マイコンによる制御を示すフローチャートである。
【図５】マイコンによる炊飯処理を示すフローチャートである。
【図６】図５の第１表示変更工程を示すフローチャートである。
【図７】図４の停電処理を示すフローチャートである。
【図８】図７の第２表示変更工程を示すフローチャートである。
【図９】（Ａ）は炊飯処理時の表示状態を示す正面図、（Ｂ）は停電時の表示状態を示す正面図である。
【符号の説明】
【００７５】
１０…内鍋
１１…本体
１４…誘導加熱コイル（加熱手段）
１６…内鍋用温度センサ（温度検出手段）
１７…蓋体
２１…排気通路
２２…リリーフ弁（圧力投入手段）
２５…蓋体用温度センサ（温度検出手段）
２６…圧力センサ（圧力検出手段）
２７…操作パネル
３３…圧力セグメント（圧力表示部）
４０…マイコン（制御手段）
４０ａ…電圧判別部
４０ｂ…タイマー
４１…商用電源
４２…一次電池（バックアップ電源）
【図１】
0005037394.tif 000002
【図２】
0005037394.tif 000003
【図３】
0005037394.tif 000004
【図４】
0005037394.tif 000005
【図５】
0005037394.tif 000006
【図６】
0005037394.tif 000007
【図７】
0005037394.tif 000008
【図８】
0005037394.tif 000009
【図９】
0005037394.tif 000010